(57)【要約】【課題】  従来のハイバックソファよりもコンパクトで、部屋に設置した際の圧迫感が少なく、部屋が狭く見えにくいハイバックソファを提供する。【解決手段】  本発明のソファは、ソファ本体に背クッションを備えたソファにおいて、ソファ本体は座支持部と背支持部を備え、背支持部に薄型のインナーフレームが取り付けられ、インナーフレームはその上部が当該背支持部の上に突出し、そのインナーフレームに背クッションが取り付けられたものである。背クッションにポケットを設け、そのポケットをインナーフレームの突出部に被せることによって、インナーフレームに着脱可能としてもよい。インナーフレームは前方に屈曲又は湾曲したものとすることもできる。インナーフレームは、背支持部への取付け高さを変えることによって、突出部の突出長を変えられるようにしてもよい。【選択図】図１
2017047115.tif 000002
【特許請求の範囲】
【請求項１】
ソファ本体に背クッションを備えたソファにおいて、
ソファ本体は座支持部と背支持部を備え、
前記背支持部に薄型のインナーフレームが取り付けられ、
前記インナーフレームはその上部が当該背支持部の上に突出し、
前記インナーフレームに背クッションが取り付けられた、
ことを特徴とするソファ。
【請求項２】
請求項１記載のソファにおいて、
背クッションは、クッションを内蔵するカバーの外側にポケットを備え、
前記ポケットを背支持部の上に突出したインナーフレームの突出部に被せることによって、インナーフレームに着脱可能である、
ことを特徴とするソファ。
【請求項３】
請求項１又は請求項２記載のソファにおいて、
インナーフレームは、下部が背支持部の前面に沿って略垂直であり、上部が背支持部の前面よりも前方に突出するように屈曲又は湾曲したものである、
ことを特徴とするソファ。
【請求項４】
請求項１から請求項３のいずれか１項に記載のソファにおいて、
インナーフレームは、背支持部への取付け高さを変えることによって、背支持部の上方に突出する突出部の突出長を変えることができる、
ことを特徴とするソファ。
【発明の詳細な説明】
【技術分野】
【０００１】
本発明は、ソファ本体の背部の前側に背クッションが設けられたソファ、例えば、ハイバックソファに関する。
【背景技術】
【０００２】
従来、着座者の腰付近から頭部付近までを支持できるハイバックソファが知られている。一例として図５（ａ）、図６に示すハイバックソファＡは、座支持部（図示しない）と、背支持部Ｂと、肘掛けＣと、脚Ｄを備えている。座支持部には座クッション（図示しない）が設けられ、背支持部Ｂの前に背クッションＥが配置されている。背支持部Ｂの上には肘掛けＣよりも高い笠木Ｆがあり、背支持部Ｂにより背クッションＥの下部が、笠木Ｆで背クッションＥの上部が支持されている。図５（ａ）、図６に示すハイバックソファＡのほか、本件出願人は、ローバックソファとハイバックソファを切り替えて使用可能なソファ（特許文献１）も提案している。
【先行技術文献】
【特許文献】
【０００３】
【特許文献１】特開２００７−０４４１４７号公報
【発明の概要】
【発明が解決しようとする課題】
【０００４】
図５（ａ）に示す笠木Ｆは前方に裾広がりであり、前後方向に分厚いため、ソファの前後幅（奥行）が大型化する傾向にある。奥行が大型のソファは設置面積が広くなるため、室内に配置すると圧迫感があり、部屋が狭く見えるなどの弊害があることから、コンパクトなソファ、特に、奥行の薄い（小さい）ソファを望む声が少なくない。
【０００５】
本発明は前記事情に鑑みてなされたものであり、その解決課題は、従来のハイバックソファよりも奥行が小さくてコンパクトであり、室内に設置しても圧迫感が少なく、室内が狭く見えにくいソファを提供することにある。
【課題を解決するための手段】
【０００６】
本発明のソファは、ソファ本体に背クッションを備えたソファであって、ソファ本体は座支持部と背支持部を備え、当該背支持部に薄型のインナーフレームが取り付けられ、インナーフレームはその上部が当該背支持部の上に突出し、当該インナーフレームに背クッションが取り付けられたものである。
【０００７】
前記背クッションは、クッションを内蔵するカバー（表皮）の外側にポケットを備え、当該ポケットを背支持部の上に突出したインナーフレームの突出部に被せることによって、インナーフレームに着脱可能とすることもできる。
【０００８】
前記インナーフレームは、下部が背支持部の前面に沿って略垂直であり、上部が背支持部の前面よりも前方に突出するように屈曲又は湾曲したものとすることもできる。
【０００９】
前記インナーフレームは、背支持部への取付け高さを変えることによって、背支持部の上方に突出する突出部の突出長を変えられるようにしてもよい。
【発明の効果】
【００１０】
本発明のソファは、次の効果を奏する。
（１）従来のソファにおける笠木を設けずに、背支持部に薄型のインナーフレームを取り付け、そのインナーフレームで背クッションを支える構造であるため、従来のハイバックソファよりも奥行が小さく、全体的にコンパクトである。このため、室内に配置しても圧迫感を与えにくく、室内が狭く感じにくくなる。
（２）従来のハイバックソファよりもコンパクトではあるが、着座者の腰付近から頭部付近までを支持できる高さが確保されるため、従来の大型のハイバックソファと同様の支持ができる。
【図面の簡単な説明】
【００１１】
【図１】本発明のソファの一例を示すものであって、（ａ）は左端のインナーフレームと背クッションを取り外した状態の前面斜視図、（ｂ）は全てのインナーフレームと背クッションを取り付けた場合の背面斜視図。
【図２】（ａ）は背支持部へのインナーフレームの取付け方法の説明図、（ｂ）はインナーフレームの他例を示す斜視図。
【図３】カバーにポケットを備えた背クッションの説明図。
【図４】本発明のソファの使用方法の一例を示す斜視図。
【図５】（ａ）は従来のハイバックソファの側面図、（ｂ）は本発明のソファの側面図。
【図６】従来のハイバックソファの背面斜視図。
【発明を実施するための形態】
【００１２】
（実施形態）
本発明のソファの一例を、図面を参照して説明する。本発明のソファは一人掛けや二人掛けのソファであってもよいが、ここでは三人掛けのハイバックソファ１を一例として説明する。
【００１３】
［ハイバックソファ］
図１（ａ）（ｂ）に示すハイバックソファ１は、ソファ本体２と、インナーフレーム３と、背クッション４と、座クッション５を備えている。ソファ本体２は背クッション４を支持する背支持部２ａと座クッション５を支持する座支持部２ｂと座支持部２ｂの両側方に設けた肘掛け２ｃを備えている。背支持部２ａの前面には背クッション４が、座支持部２ｂの上には座クッション５が設けられている。座支持部２ｂは脚６で支持されている。背支持部２ａと肘掛け２ｃの上端面の高さは同一又は略同一であり、従来のハイバックソファにおける笠木Ｆ（図６）に相当するものは設けていない。
【００１４】
［インナーフレーム］
前記インナーフレーム３は背クッション４を支持し、その背クッション４に凭れ掛る着座者を支持するものであり、着座者を支持できる強度と、着座者が凭れ掛かったときにその荷重によって弾性変形するバネ性を備えている。一例として図１（ａ）に示すインナーフレーム３は、正面視縦長方形の平板である。このインナーフレーム３は側面視「く」字状にして、高さ方向半分よりも下の部分を背支持部２ａに取り付けると、上の部分が背支持部２ａの前方に突出するようにしてある。この場合、屈曲部分３ａよりも下部３ｂで背クッション４の高さ方向中程付近を、上部３ｃで背クッション４の高さ方向上部付近を支持できるようにしてある。インナーフレーム３は薄型であればこれ以外の形状であってもよく、例えば、図２（ｂ）のように、開口部３ｄが開口され、且つ前記のように屈曲又は湾曲したものとか、網とかパンチングメタルで、前記と同様の形状に形成することもできる。インナーフレーム３は前方に向けて屈曲させる代わりに、高さ方向全体を前方に向けて緩やかに湾曲させたものでもよい。インナーフレーム３は、幅狭の複数枚の平板で構成することもできる。この場合、複数枚の平板を幅方向に二枚以上配置して背クッション４を支持することができる。
【００１５】
図２（ａ）に示すように、前記インナーフレーム３は背支持部２ａの前面に固定され、その上部が背支持部２ａの上に突出するようにしてある。具体的には、インナーフレーム３に設けられた止め孔７と背支持部２ａの前面に設けられた止め孔８が連通するようにインナーフレーム３を背支持部２ａの前に宛がい、その外側（ソファの前面）から両止め孔７、８にビス９をねじ込むことによって、インナーフレーム３を背支持部２ａに固定することができる。ビス９の内側には、既存のワッシャ１０を介在させるのが好ましい。このように固定したインナーフレーム３は、ビス９を外すことでソファ本体２の背支持部２ａから取り外すことができる。インナーフレーム３の取り付けは、前記以外の方法であってもよい。
【００１６】
インナーフレーム３及び背支持部２ａには下段孔７ａ、８ａと上段孔７ｂ、８ｂが二つずつ設けられている。インナーフレーム３の下段孔７ａと背支持部２ａの下段孔８ａを連通させて固定することで、背支持部２ａの上に突出するインナーフレーム３の突出部の長さを短くし、インナーフレーム３の下段孔７ａと背支持部２ａの上段孔８ｂを連通させて固定することによって、前記突出部の長さを長くすることができるようにしてある。下段孔７ａ、８ａ同士を連通させて固定する場合（前者の場合）、上段孔７ｂ、８ｂ同士も連通するため、下段孔７ａ、８ａと上段孔７ｂ、８ｂの双方又はいずれか一方にビス９をねじ込んで固定することができる。下段孔７ａ、８ａと上段孔７ｂ、８ｂの双方にビス９をねじ込んだ場合は、インナーフレーム３が安定し、傾いたり、外れたりしにくくなる。この実施形態では、止め孔７、８を高さ方向に間隔をあけて二段設ける場合を一例としているが、止め孔７、８は一段又は三段以上設けることもできる。インナーフレームは金属製、樹脂製等の適宜材質製とすることができる。
【００１７】
［背クッション］
前記背クッション４は着座者の背中を支えるものである。一例として図３に示す背クッション４は、クッションを内蔵するカバー（表皮）の背面側にポケット１１が設けられている。このポケット１１は下向き開口の被せ口１１ａを備え、この被せ口１１ａをインナーフレーム３の前記突出部に被せることにより、インナーフレーム３に背クッション４を取り付けられるようにしてある。ポケット１１をインナーフレーム３の突出部に被せることによって突出部が隠れるため、外観上の体裁がよくなる。
【００１８】
図３に示す背クッション４は一例であり、背クッション４はポケット１１を備えていないものであってもよい。この場合は、例えば、背クッション４のカバーとその中に内蔵されるクッションとの間にインナーフレーム３を差し込むとか、背クッション４のカバーに帯を取り付け、その帯をインナーフレーム３に巻いて面状ファスナーなどの任意の固定手段で固定することによって、背クッション４をインナーフレーム３に取り付けることができる。背クッション４を取り付けたときに、インナーフレーム３の突出部が外部に露出するときは、突出部に別途用意したカバーを被せて、インナーフレーム３を外部から見えないように隠すのが好ましい。
【００１９】
前記したハイバックソファ１は、ソファ本体２の背支持部２ａにインナーフレーム３を取り付け、そのインナーフレーム３に背クッション４を取り付けるようにしてあるが、本発明のハイバックソファ１はそれ以外の構造であってもよく、例えば、インナーフレーム３を背クッション４に取り付け、そのインナーフレーム３の下部をソファ本体２の背支持部２ａに差し込むとかその他の方法で取り付ける構造とすることもできる。
【００２０】
（その他の実施形態）
この実施形態のハイバックソファ１は背クッション４を三つ備えているが、これら全ての背クッション４をインナーフレーム３に取り付ける必要はなく、一部の背クッション４のみインナーフレーム３に取り付けることもできる。場合によっては、インナーフレーム３の突出部の高さ変え、それら突出部に背クッション４を取り付けて、複数の背クッション４の高さを変えるようにすることもできる。このように背クッション４の高さを変えられるようにすることで、背クッション４の位置を着座者に最適な高さに合わせることができる。
【００２１】
本発明のハイバックソファ１は、座支持部２ｂの前方に折り畳み式のフットレスト（図示しない）を備えたものとすることもできる。また、フットレストを設ける代わりに、図４のように、足置き用のスツール１２を配置することもできる。インナーフレーム３によって背クッション４を高くし、当該背クッション４の前方の座支持部２ｂの前にスツール１２を配置して、いわゆるシェーズロング風（カウチソファ風）のハイバックソファ１として使用することもできる。
【００２２】
（比較例）
従来のハイバックソファＡと本発明のハイバックソファ１を図５（ａ）（ｂ）に示す。図５（ａ）は従来のハイバックソファＡ、図５（ｂ）は本発明のハイバックソファ１の側面図である。両ハイバックソファの着座部の前後方向の寸法は同じである。従来のハイバックソファＡには前方に裾広がりの笠木Ｆがあるため、ソファ全体の奥行が長い（図５（ａ）の例では９５ｃｍ）。これに対し、本発明のハイバックソファ１は、ソファ本体２に笠木Ｆはなく、背クッション４をソファ本体２の背支持部２ａに取り付けられたインナーフレーム３で支持するものであるため、座面（座クッション）の奥行寸法が従来のものと同じでありながら、従来のハイバックソファＡに比して奥行が短くなる（図５（ｂ）の例では８４ｃｍ）。また、図１（ｂ）の本発明のハイバックソファ１の背面斜視図と図６の従来のハイバックソファＡの背面斜視図を比較すると、本発明のハイバックソファ１には笠木Ｆがないため、従来のハイバックソファＡに比して圧迫感が少ない。
【００２３】
ソファ本体、背クッション、座クッションの形状、寸法、材質等は任意に設計することができる。
【産業上の利用可能性】
【００２４】
本発明のハイバックソファ１は、図示した形状のソファに限らず、ハイバックソファ以外の形状のソファに利用することもできる。また、一人掛け、二人掛けといった、ソファにも利用することができる。
【符号の説明】
【００２５】
１      ハイバックソファ
２      ソファ本体
２ａ    背支持部
２ｂ    座支持部
２ｃ    肘掛け
３      インナーフレーム
３ａ    （インナーフレームの）屈曲部分
３ｂ    （インナーフレームの）下部
３ｃ    （インナーフレームの）上部
３ｄ    （インナーフレームの）開口部
４      背クッション
５      座クッション
６      脚
７      止め孔
７ａ    下段孔
７ｂ    上段孔
８      止め孔
８ａ    下段孔
８ｂ    上段孔
９      ビス
１０    ワッシャ
１１    ポケット
１１ａ  被せ口
１２    スツール
Ａ      ハイバックソファ
Ｂ      背支持部
Ｃ      肘掛け
Ｄ      脚
Ｅ      背クッション
Ｆ      笠木
【図１】
2017047115.tif 000003
【図２】
2017047115.tif 000004
【図３】
2017047115.tif 000005
【図４】
2017047115.tif 000006
【図５】
2017047115.tif 000007
【図６】
2017047115.tif 000008